(57)【要約】【課題】ＨＤＤ内に情報漏洩のための特別な仕組みを設けることなく、通常の形態かつ構成のＨＤＤに対して、その廃棄時に確実かつ速やかにＨＤＤからの情報の読み出しを防止する技術を提供する。【解決手段】ハードディスクドライブが内蔵する磁気ディスクに記録した情報の読み出しを防止するために、先端が鋭利で極細の注入部を有する注入器に、磁気ディスクとの化学反応により磁気ディスクに記録した情報の読み出しを不可能にする液状物質を充填し、その注入部をハードディスクドライブのケースに設けた内圧調整用の孔に挿入し、この孔を介して注入器に充填した液状物質をハードディスクドライブ内に注入する。【選択図】図２
2017157250.tif 000002
【特許請求の範囲】
【請求項１】
先端が鋭利で極細の注入部を有する注入器に、磁気ディスクとの化学反応により該磁気ディスクに記録した情報の読み出しを不可能にする液状物質を充填し、
前記注入部をハードディスクドライブのケースに設けた内圧調整用の孔に挿入し、
前記孔を介して前記注入器に充填した前記液状物質を前記ハードディスクドライブ内に注入して、
前記ハードディスクドライブが内蔵する磁気ディスクに記録した情報の読み出しを不可能にする
ことを特徴とするハードディスクドライブからの情報漏洩防止方法。
【請求項２】
請求項１に記載のハードディスクドライブからの情報漏洩防止方法であって、
前記液状物質は、前記磁気ディスクを腐食させる化学物質である
ことを特徴とするハードディスクドライブからの情報漏洩防止方法。
【発明の詳細な説明】
【技術分野】
【０００１】
本発明は、ハードディスクドライブ（ＨＤＤ：Ｈａｒｄ  Ｄｉｓｋ  Ｄｒｉｖｅ）の廃棄時において、そこに格納されている情報が漏洩することを防止する方法に関する。
【背景技術】
【０００２】
従来、パーソナル・コンピュータ（ＰＣ）、サーバ装置等に係るコンピュータ機器を廃棄する際に、特に情報格納装置であるハードディスクドライブ（以下、「ＨＤＤ」という）が格納済みの情報に関しては、その漏洩や流出が問題となる。すなわち、ＨＤＤを廃棄する際には、格納済みの情報を完全に消去する必要がある。万が一、情報が漏洩または流出してしまった場合にはそれを悪用されるようなトラブルに発展しかねない。特に近年、情報セキュリティの意識が高まり、情報の漏洩防止への取り組みは一層強化されている。
【０００３】
現状、ＨＤＤ内の情報を漏洩させないための代表的な方法としては、以下の２通りの方法が採用されている。一つは、ＨＤＤ内のデータ消去である。すなわち、ＨＤＤデータ消去ツール（ソフトウェア）を使用してランダムなデータを書き込み（上書き）することで、元のデータを読み取れなくする方法である。もう一つは、物理的（機械的）破壊装置を使用してＨＤＤ自体を破壊する、または、磁気消磁装置のような専用装置を使用してＨＤＤの磁気を消磁することで、ＨＤＤ自体を使用不可能にする方法である。
【先行技術文献】
【特許文献】
【０００４】
【特許文献１】特開２０１０−２１８６２５号公報
【特許文献２】特開２０１２−７９１７２号公報
【発明の概要】
【発明が解決しようとする課題】
【０００５】
ＨＤＤ内のデータ消去の場合には、新たにランダムなデータを書き込み（上書き）するために時間が掛かる。完全な消去を推奨するためには、ランダムデータを３回書き込む必要があるため、近年のテラバイト（ＴＢ）規模の容量データを消去するためには、数時間〜数十時間といった長時間を要する。また、ＨＤＤ自体が故障し動作不可である場合には、本方式を用いることができない。そして、消去のためのツールやソフトのライセンスを購入する必要があり、台数に応じて費用が発生する。加えて、装置によっては、ツールやソフトが動作しない場合があるので、事前の動作検証も必要となる。
【０００６】
物理的にＨＤＤを破壊する場合には、物理的破壊装置を作成または購入する必要があるところ、物理的破壊装置は重量物であるため、作業場所への運搬が容易ではなく可搬性が悪い。また、大量のＨＤＤを物理的に破壊する場合は、破壊装置の台数に限りがあるため非効率である。加えて、作業時に相当程度の音が発生し、作業場所や作業時間帯などの考慮も必要となる。
【０００７】
また、コンピュータ機器は、概ね５年周期で機器の入れ替えを行うので一般的であるところ、その都度ＨＤＤ破壊またはデータ消去を行うとなるとその作業工数および作業コストの負荷（負担）が大きくなってしまう傾向にある。
【０００８】
上記２通りの方法以外として、特許文献１および２には、ハードディスク装置内に、腐食物質（特許文献１）や化学薬品等の液体・気体（特許文献２）を密封した収納容器を設け、廃棄時にその容器を機械的に開封してハードディスクに上記物質等を散布してハードディスクから情報を読み出せなくする技術が開示されている。しかし、この技術では、ハードディスク装置内に危険または有害物質を収納した容器を内蔵することになるから、ハードディスク装置の取り扱いには十分な配慮や注意が必要となる。例えば、地震や不慮の事故時、またＰＣの場合の運搬時、ハードディスク装置に加わる衝撃によっては上記収納容器がダメージを受けてハードディスクを使用不可に至らしめる可能性が否定できない。また、その時にハードディスク装置から危険または有害物質が漏れ出して、傍の機器や人体に対して悪影響を及ぼしかねない。
【０００９】
本発明は、ＨＤＤ内に情報漏洩のための特別な仕組みを設けることなく、通常の形態かつ構成のＨＤＤに対して、その廃棄時に確実かつ速やかにＨＤＤからの情報の読み出しを防止する技術を提供することを目的とする。
【課題を解決するための手段】
【００１０】
本発明は、ＨＤＤが内蔵する磁気ディスクに記録した情報の読み出しを防止するために、先端が鋭利で極細の注入部を有する注入器に、磁気ディスクとの化学反応により磁気ディスクに記録した情報の読み出しを不可能にする液状物質を充填し、その注入部をＨＤＤのケースに設けた内圧調整用の孔に挿入し、この孔を介して注入器に充填した液状物質をＨＤＤ内に注入することを特徴とする。
【発明の効果】
【００１１】
本発明によれば、通常の形態かつ構成のＨＤＤに対して、その廃棄時にＨＤＤ内に液状物質を注入することにより、確実かつ速やかにＨＤＤからの情報の読み出しを防止することが可能になる。
【図面の簡単な説明】
【００１２】
【図１】図１は、一般的な内蔵型ＨＤＤの一例を示す分解斜視図である。
【図２】図２は、液状物質を使用してＨＤＤからの情報漏洩を防止するための作業手順を示す図である。
【発明を実施するための形態】
【００１３】
本発明の実施の形態につき、その実施例を、図を参照して以下に説明する。
【実施例】
【００１４】
図１は、一般的な内蔵型ＨＤＤの一例を示す分解斜視図である。
ＨＤＤ１は、本体１５にカバー１１がネジ（図示せず）等により取り付けられ、本体１５の内部装置が密閉させている。本体１５には、記憶媒体である複数枚の円盤状の磁気ディスク１２が、スピンドルモータ１３により回転可能に組み込まれている。各磁気ディスク１２上には、磁気ヘッド（図示せず）を備えた浮上スライダ１７が、アクセスアーム１４により水平方向に移動可能に設けられている。そして、カバー１１の上面には、内圧調整用の孔１１ａが穿孔されている。
【００１５】
次に、本発明に係るＨＤＤからの情報漏洩を防止する方法について説明する。
本発明の特徴点は、ＨＤＤのカバー面に設けた内圧調整用の孔を活用することである。すなわち、この内圧調整用の孔から液状物質をＨＤＤ内部へ注入し、その液状物質に作用により磁気ディスクからの情報の読み出しを不可能にすることにある。
ここで、磁気ディスクからの情報の読み出しを不可能にするために使用する液状物質としては、磁気ディスクを腐食させる物質または磁気ディスクの構成層と化学反応してその層を破壊させる物質等を選択することができる。例えば、ＣＡＮと呼ばれる硝酸第２セリウムアンモニウムと過塩素酸の混合水溶液（クロムを溶かす専用の薬品）や金属腐食性物質であるトリフルオロ酢酸などを利用することができる。
【００１６】
図２は、液状物質を使用してＨＤＤからの情報漏洩を防止するための作業手順を示す図である。
まず、液状物質２として上述のような化学物質（薬品）を準備する。
次に、注入部である先端が鋭利で極細の形状を有する注入器３にその液状物質を充填する。この注入器３は、充填した液状物質をＨＤＤ１のカバー１１の面上にある内圧調整用の孔１１ａからＨＤＤ１へ注入するための器具である。注入器３としては、例えば注射器があるが、注入部である先端が鋭利で極細の形状を有するのであれば注射器に限定されるものではない。
そして、注入器３の先端を、ＨＤＤ１のカバー１１の面上にある内圧調整用の孔１１ａに挿し込んで、充填した液状物質２をＨＤＤ１内へ注入する。注入された液状物質２により、ＨＤＤ１内部の磁気ディスク１２からの情報の読み出しが不可能となる。
【００１７】
このように、ＨＤＤの廃棄時に、上記手順を踏むことにより、ＨＤＤからの情報漏洩の心配をすることなく安心して速やかに廃棄に出すことができる。ただし、上記液状物質の取り扱いには、十分な注意が必要である。
【符号の説明】
【００１８】
１…ＨＤＤ、２…液状物質、３…注入器、１１…カバー、１１ａ…孔、
１２…磁気ディスク、１３…スピンドルモータ、１４…アクセスアーム、１５…本体、
１７…浮上スライダ
【図１】
2017157250.tif 000003
【図２】
2017157250.tif 000004